(57)【要約】 【課題】  多くの回路数を必要とする場合に、分電盤が小さくできるプラグイン分電盤を提供する。【解決手段】  母線ユニットを、垂直で複数本の幹線バー２が一対の取付けレール３の間に配設されたものとして、幹線バー２を、その幅方向の両側を母線ユニットの前後方向に向けて取付けレール３の間に平行に配設して、母線ユニットの前後両側に電気機器の取付けスペースを形成した。これによって、背面にプラグイン端子を備える電気機器を母線ユニットの前後両側から装着することができる。さらに、取付けレール３を幹線バー２より幅広な片側がそれぞれ一本からなるものとして、その両側に電気機器の取付け面３ａを形成して、取付けレール３の必要本数を低減した。【選択図】    図１
2006238562.tif 000002
【特許請求の範囲】
【請求項１】
垂直で複数本の幹線バーが一対の取付けレールの間に組み付けられた母線ユニットを備えるプラグイン分電盤であって、幹線バーを、その幅方向の両側を母線ユニットの前後方向に向けて取付けレールの間に平行に配設して、母線ユニットの前後両側に電気機器の取付けスペースを形成して、背面にプラグイン端子を備える電気機器を母線ユニットの前後両側から装着可能としたうえに、取付けレールをそれぞれ幹線バーより幅広な一本からなるものとしたことを特徴とするプラグイン分電盤。
【発明の詳細な説明】
【技術分野】
【０００１】
本発明は、幹線バーに分岐ブレーカ、端子台等の電気機器がプラグイン式で取付けられるプラグイン分電盤に関するものである。
【背景技術】
【０００２】
プラグイン分電盤は、例えば特許文献１に記載されているように、垂直３本の幹線バーの前面側に分岐ブレーカなどの電気機器がプラグイン式で取付けられて構成される。このようなプラグイン分電盤において、多くの回路数を必要とする場合は、必要回路数の分岐ブレーカを一列に設置するか、または、二列の幹線バーを並設して分岐ブレーカを各幹線バーに一列に設置し、幹線バー間を連結していた。しかしながら、これらの手段では分電盤の大きさが大きくなり、広い設置スペースが必要となる。さらに、幹線バーを連結する場合は、連結用の電線や胴バーが必要となるため部品点数が増え、コストアップの要因となる。また、電線を巻き付けたりねじを締め付けたりするなどの面倒な作業を必要とし、作業工程が多くなって作業に時間がかかるという問題があった。
【特許文献１】特開平５−３０８７０５号公報  (図１)
【発明の開示】
【発明が解決しようとする課題】
【０００３】
本発明は上記した従来の問題点を解決して、多くの回路数を必要とする場合に、分電盤が小さくできるプラグイン分電盤を提供することを課題とする。
【課題を解決するための手段】
【０００４】
上記の課題を解決するためになされた本発明のプラグイン分電盤は、垂直で複数本の幹線バーが一対の取付けレールの間に組み付けられた母線ユニットを備えるプラグイン分電盤であって、幹線バーを、その幅方向の両側を母線ユニットの前後方向に向けて取付けレールの間に平行に配設して、母線ユニットの前後両側に電気機器の取付けスペースを形成して、背面にプラグイン端子を備える電気機器を母線ユニットの前後両側から装着可能としたうえに、取付けレールをそれぞれ幹線バーより幅広な一本からなるものとしたことを特徴とするものである。
【発明の効果】
【０００５】
本発明のプラグイン分電盤は、幹線バーを、その幅方向の両側を母線ユニットの前後方向に向けて取付けレールの間に平行に配設して、母線ユニットの前後両側に電気機器の取付けスペースを確保したので、幹線バーの幅方向の両側からプラグイン式で電気機器を装着することができる。よって、従来のような母線ユニットの前側のみならず、前後両側に電気機器を装着することができるので、多くの回路数が必要な場合に、分電盤が小さくできる。また、幹線バーの連結作業が必要ないので、作業時間を短縮することができる。幹線バー同士をつなぐ銅線や銅バーが必要でないので、部品の点数を削減することができる。また、本発明のプラグイン分電盤は、取付けレールをそれぞれ幅広にして一本のものとしたので、取付けレールの本数を低減することができ、よってコストダウンを図ることができるという利点もある。
【発明を実施するための最良の形態】
【０００６】
以下に図面を参照しつつ本発明の好ましい実施形態を説明する。
図１〜４は、プラグイン分電盤に取付けられる母線ユニットの一実施形態を示す図である。母線ユニットは、垂直３本の幹線バー２と、これらの幹線バー２を挟んで配置された一対の分岐ブレーカ取付けレール３とからなる。幹線バー２と取付けレール３とは、所要間隔をおいてそれぞれ平行に配設されており、上下一対の支持部材４により一体に組み付けられて、母線ユニットを構成している。そして、幹線バー２には、電気機器の一つである分岐ブレーカ５がプラグイン式で装着されている。
【０００７】
当該分岐ブレーカ５は、図５、６に示すように、ブレーカ本体６と、プラグインアダプタ７とからなり、プラグインアダプタ７は、その背面にプラグイン端子８を備え、両側に取付けレール３への固定片７ａを備えている。
【０００８】
幹線バー２は、図３、４に示すように、横幅を有する長尺板状のものであって、その両側を母線ユニットの前後方向に向けて配置されているので、幹線バー２の幅方向の両側、即ち、母線ユニットの前後両方向からプラグイン端子８を差込んで分岐ブレーカ５を装着することができる。このように母線ユニットの前後両側に分岐ブレーカ５を装着することができるので、多回路が必要な場合に分電盤が小さくできる。
【０００９】
また、取付けレール３は、図１、２に示すように、幹線バー２より幅の広いものとして片側をそれぞれ一本とし、その幅方向の両側に分岐ブレーカ５の取付け面３ａを形成して、この取付け面３ａに装着孔３ｂを設けた。そして、この取付けレール３を所要間隔をおいて対向させて、その間に幹線バー２を配設したので、取付けレール３の両側に分岐ブレーカ５を取付けることができる。即ち、プラグイン端子８を幹線バー２に差込んだうえに、その固定片７ａを装着孔３ｂにねじなどで螺着することによって、取付けレール３の前後両側に分岐ブレーカ５を装着することができる。  
【００１０】
母線ユニットを分電盤ボックスに固定するに当っては、図１、２に示すような取付け部材９を用いる。当該取付け部材９は、母線ユニットの両側を挟むように折り曲げられたコの字形部９ａと、ボックスの一部に当接される当接片９ｂとを有する。この取付け部材９を母線ユニットの上下に配して母線ユニットを挟んだうえに、当接片９ｂをボックスに当接してねじなどで締結することによって、母線ユニットをボックスに固定することができる。このようにして取付けられた母線ユニットは、その前面側と背面側とを開放した状態で取付けられているので、前後両面から配線作業などを行うことができ、作業性が極めて良好である。
【００１１】
なお、取付けレール３を、図７、８に示すように、長尺板材の長手方向の中ほどを折り曲げて当接片３ｃが形成されたものとすることができる。なお、この取付レール３においても、その幅方向の両側に分岐ブレーカ５の取付け面３ａが形成されている。このような取付けレール３を母線ユニットの両側に対向させて配置することにより、その間に電気機器の取付けスペースを確保することができる。そして、当接片３ｃをボックスの所要部に固定することによって母線ユニットを分電盤に組み付けることができる。当該取付けレール３は、その長手方向の全長にわたって当接片３ｃが形成されているので、母線ユニットに重量の大きな電気機器が搭載された時にも取付けレール３が歪むことなくボックスに強固に固定することができる。また、母線ユニット固定用の取付け部材を必要としないので、その分分岐ブレーカ５を取付けるスペースが増えるという利点もある。
【００１２】
なお、取付けレール３を、母線ユニットの前側と後側とで縦に半切された狭幅で別体のものとすることもできる。即ち、幅狭とした長尺板材の幅方向の両側を反対方向に折り曲げて取付け面３ａと当接片３ｃとが全長にわたって形成された幅狭レールとしたうえに、２本の幅狭レールの当接片３ｃ同士をつき合せて一体とすることにより、その幅方向の両側に取付け面３ａを有する取付けレール３となすことができる。
以上においては、幹線バー２を３本として実施形態を説明したが、幹線バー２は３相４線式のものに合せ４本とすることもでき、何本であってもかまわない。
【図面の簡単な説明】
【００１３】
【図１】母線ユニットの一実施形態を示す正面側斜視図である。
【図２】図１の母線ユニットの背面側斜視図である。
【図３】分岐ブレーカ装着前の母線ユニットの水平断面図である。
【図４】分岐ブレーカ装着後の母線ユニットの水平断面図である。
【図５】分岐ブレーカの表側の斜視図である。
【図６】分岐ブレーカの裏側の斜視図である。
【図７】上記とは別の実施形態の母線ユニットを示す正面側斜視図である。
【図８】分岐ブレーカが装着前である図７の母線ユニットの水平断面図である。
【符号の説明】
【００１４】
１  母線ユニット、２  幹線バー、３  取付けレール、３ａ  分岐ブレーカの取付け面、４  支持部材、５  分岐ブレーカ、６  ブレーカ本体、７  プラグインアダプタ、８  プラグイン端子、９  取付け部材。
【図１】
2006238562.tif 000003
【図２】
2006238562.tif 000004
【図３】
2006238562.tif 000005
【図４】
2006238562.tif 000006
【図５】
2006238562.tif 000007
【図６】
2006238562.tif 000008
【図７】
2006238562.tif 000009
【図８】
2006238562.tif 000010